(57)【特許請求の範囲】
【請求項１】
上部が開口したコップ状のガラス製の容器本体と、
上記容器本体の上部開口を塞ぐ蓋部材とを有する飲料容器であって、
上記容器本体は、
筒状の周壁部と、
上記周壁部の底部に位置し、かつ中央に穴が開けられている底壁と、
前記底壁と一体にガラスで形成され、上記穴の内周縁全周から立ち上がり、かつ上端が開口している起立部と、
上記起立部の上端開口の全周にわたって接着され、該上端開口を液遮断性をもって塞ぐとともに、表裏方向に沿った押圧力により容易に穿孔可能な材料からなる仕切り部材とを有し、
上記仕切り部材と上記周壁部および底壁とで囲まれる容器内空間に所望の飲料を収容するとともに、
上記起立部の内面と上記仕切り部材とで囲まれる補助空間に高吸水性の植物栽培用物品、及び植物の種子を収容し、かつ前記穴の周縁に裏シール材を剥離可能に貼り付け、該補助空間内を閉塞空間に形成することを特徴とした飲料容器。
【発明の詳細な説明】
【０００１】
【発明の属する技術分野】
本発明は、例えば酒などの飲料を収容するための飲料容器に関する。
【０００２】
【従来の技術】
従来より、例えば２００ｃｃ前後の飲料を収容するための容器として、ガラス製のコップ状の容器本体と、この容器本体の上部開口を塞ぐアルミニウム製の蓋とからなる飲料容器が知られている。この種の飲料容器は、内部の飲料を飲む際に蓋を取れば容器本体がそのままコップの代わりになるため便利である。
【０００３】
【発明が解決しようとする課題】
しかし上記従来の飲料容器は、飲用後の容器本体がせいぜいコップの代用として使える程度であり、飲用後の使い道がほとんど無いため大部分を廃棄せざるをえず、ゴミ問題あるいは省資源の観点から改善すべき余地があった。
従って本発明の目的は、飲用後の容器本体の利用価値が高まり、飲用後の再利用を促進できるような飲料容器を提供することにある。
【０００４】
【課題を解決するための手段】
上記の目的を果たすための本発明の飲料容器は、請求項１に記載した通りである。仕切り部材の材料は、例えばアルミニウム箔や液遮断性の合成樹脂フィルムのように容器の外部から棒などで孔を開けることのできるものが使われる。補助空間に収容する物品としては、例えば土の代用になる高吸水性ポリマー（吸水前の小体積のもの）であり、必要に応じて植物の種子などを入れておけば、植木鉢として手軽に使用することが可能となる。この容器本体は、起立部と周壁部との間に凹部が存在し、この凹部にある程度の量の水を溜めることができるため、容器本体内に供給された水の枯渇を防いで適度な水分を高吸水性ポリマーに含ませることができる。
【０００５】
【発明の実施の形態】
以下に本発明の一実施形態について、図面を参照して説明する。
図１に示された飲料容器１０は、上部が開口するコップ状のガラス製の容器本体１１と、容器本体１１の上部開口１２を塞ぐ蓋部材１３とを有している。蓋部材１３は、アルミニウム等を主体とする例えば公知のプルトップ式などの手指で開蓋可能な構造となっており、蓋部材１３の縁部１３ａに設けたシール材１４によって容器本体１１の上端開口縁１２ａを密封できるようになっている。
【０００６】
容器本体１１は、図２に示すように円筒状の周壁部１５と、周壁部１５の底部側に位置しかつ中央に円形の穴１６が形成された底壁１７と、穴１６の内周縁全周から立ち上がる短円筒状の起立部１８とを有している。
【０００７】
起立部１８の上端は開口しており、この上端開口２０を塞ぐために仕切り部材２１が設けられている。仕切り部材２１は、例えばアルミニウム箔（アルミホイル）や比較的薄手の液遮断性の合成樹脂シートなどのように液体を通さずしかも棒などで孔を開けることのできる材料からなる。仕切り部材２１を起立部１８に貼付ける部分（開口縁２０ａの端面を含む糊付部）は、開口縁２０ａの全周にわたって適宜の接着手段によって液密に接着されている。
【０００８】
容器本体１１の内部空間、すなわち周壁部１５と底壁１７と仕切り部材２１とで囲まれる容器内空間２５に酒等の所望の飲料２６が収容され、蓋部材１３によって容器内空間２５が密閉される。
【０００９】
また、起立部１８の内面と仕切り部材２１の下面とによって囲まれる補助空間３０に、飲料以外の物品３１の一例として、植物栽培用の土の代りに用いることのできる高吸水性ポリマー（高吸水性樹脂）３２が、吸水前の体積の小さい状態で収容されている。高吸水性ポリマー３２は、例えばポリエチレンオキサイド系やアクリル酸系あるいはアルコール共重合体などを主体とするもので、吸水率が数十ないし数百倍のゲル状（寒天状）の樹脂である。
【００１０】
上記補助空間３０には、必要に応じて高吸水性ポリマー３２と共に植物の種子や肥料などを収容してもよい。これらの栽培用物品３１を収容した補助空間３０の下面側の穴１６は、必要に応じて紙あるいは合成樹脂フィルム等の裏シール材３６によって塞いでおき、補助空間３０から物品３１を取出す際に、裏シール材３６を破るようにしてもよい。
【００１１】
上記構成の飲料容器１０は、飲み終わった容器本体１１の補助空間３０から高吸水性ポリマー３２などの栽培用物品３１を取出し、図３に示すように高吸水性ポリマー３２を容器内空間２５に移し変える。また、鉛筆や串などの先の尖った棒を使って仕切り部材２１に適当な大きさの孔３８を少なくとも一箇所（好ましくは複数箇所）に開ける。
【００１２】
そして容器内空間２５に水を注入し、高吸水性ポリマー３２に水を含ませる。例えばポリエチレンオキサイド系の高吸水性ポリマーの場合、吸水後の体積は約３０〜５０倍前後に膨潤する。このため、１０ＣＣ以下の狭い補助空間３０に収容できるような少量の高吸水性ポリマー３２であっても、吸水後は容器本体１１を満たすに十分な量となる。
【００１３】
容器本体１１に上記高吸水性ポリマー３２と一緒に植物の種子Ｓや肥料を入れて栽培すれば植木鉢として使用できる。この容器本体１１は、起立部１８と周壁部１５との間に凹部４０が存在し、この凹部４０にある程度の量の水を溜めることができるため、容器本体１１内の水の枯渇を防いで適度な水分を高吸水性ポリマー３２に含ませることができる。
【００１４】
なお、補助空間３０に高吸水性ポリマー３２以外の物品を収容してもよい。また、容器本体１１や蓋部材１３あるいは起立部１８の形状などはこの発明の要旨を逸脱しない範囲で適宜に変更して実施できることは言うまでもない。
【００１５】
【発明の効果】
請求項１に記載した本発明の構成によれば、飲用後の容器本体の利用価値が高まり、容器本体の再利用を促進できる。また、補助空間に高吸水性ポリマーを収容しておき、飲用後の空の容器本体に移し変えて水を与えて吸水させかつ仕切り部材に孔を開ければ、容器本体を手軽に植木鉢に利用することができ、飲用後の容器本体の利用価値がさらに高まる。
【図面の簡単な説明】
【図１】  本発明の一実施形態を示す飲料容器の縦断面図。
【図２】  図１に示された容器本体の一部を切り欠いて示す斜視図。
【図３】  図１に示された容器本体の使用態様の一例を示す断面図。
【符号の説明】
１０…飲料容器
１１…容器本体
１３…蓋部材
１５…周壁部
１７…底壁
１８…起立部
２１…仕切り部材
３０…補助空間
３１…物品
３２…高吸水性ポリマー
【図１】
0003973261.tif 000002
【図２】
0003973261.tif 000003
【図３】
0003973261.tif 000004